(57)【要約】【課題】  複数の原稿を一度に読み取った場合でも、各原稿画像の傾き補正量を生成できる画像処理装置を提供する。【解決手段】  読取画像データ内に含まれる原稿画像の傾きを検出できる画像処理装置３において、複数の原稿画像を含む読取画像データを原稿画像毎の領域に分割する画像分割部１３２と、画像分割部１３２により分割された各画像データに基づいて、各原稿画像の回転方向及び前記各原稿画像の回転量を検出し、各原稿画像の回転補正量を生成する回転方向・回転補正量生成部１３４と、各原稿画像の回転方向及び各原稿画像の回転補正量に従って、各原稿画像の傾きを補正する回転補正処理部１４０を有する。【選択図】          図５
2005057603.tif 000002
【特許請求の範囲】
【請求項１】
読取画像データ内に含まれる原稿画像の傾きを検出できる画像処理装置において、
複数の原稿画像を含む読取画像データを前記原稿画像毎の領域に分割する画像分割手段と、
前記画像分割手段により分割された各画像データに基づいて、前記各原稿画像の回転方向及び前記各原稿画像の回転量を検出し、記各原稿画像の回転補正量を生成する補正量生成手段とを有することを特徴とする画像処理装置。
【請求項２】
前記画像処理装置は更に、前記各原稿画像の回転方向及び前記各原稿画像の回転補正量に従って、前記各原稿画像の傾きを補正する補正手段を有することを特徴とする請求項１記載の画像処理装置。
【請求項３】
前記画像処理装置は更に、所定のネットワークを介して、前記読取画像データ、前記各原稿画像の回転方向及び前記各原稿画像の回転補正量を外部へ出力する出力手段を有することを特徴とする請求項１又は請求項２記載の画像処理装置。
【請求項４】
前記画像処理装置は更に、前記画像分割手段による分割後の画像データを２値化処理により前記原稿画像と背景画像に分離する２値化手段を有することを特徴とする請求項１から請求項３のいずれか一項に記載の画像処理装置。
【請求項５】
前記画像処理装置は更に、前記画像分割手段による分割後の画像データに対して収縮膨張を行う収縮膨張手段を有することを特徴とする請求項１から請求項４のいずれか一項に記載の画像処理装置。
【請求項６】
前記補正量生成手段は、前記原稿画像の角を抽出して前記各原稿画像の回転方向及び各前記原稿画像の回転量を検出することを特徴とする請求項１から請求項５のいずれか一項に記載の画像処理装置。
【請求項７】
前記補正量生成手段は、原稿画像部を有する列のうち、前記原稿画像部が最も短い列と、全て原稿画像部の列とに基づいて、前記各原稿画像の回転方向及び前記各原稿画像の回転量を検出することを特徴とする請求項１から請求項６のいずれか一項に記載の画像処理装置。
【請求項８】
前記補正量生成手段は、前記原稿画像部が最も短い列の位置に基づき前記各原稿画像の回転方向を検出することを特徴とする請求項１から請求項７のいずれか一項に記載の画像処理装置。
【請求項９】
前記補正量生成手段は、前記各原稿画像の回転方向及び前記各原稿画像の回転補正量をタグ情報として生成することを特徴とする請求項１から請求項８記載の画像処理装置。
【請求項１０】
前記画像処理装置は更に、前記タグ情報をファイルに付加する手段を有することを特徴とする請求項９記載の画像処理装置。
【請求項１１】
読取画像データ内に含まれる原稿画像の傾きを補正する画像処理装置において、
所定のネットワークを介して、複数の原稿画像を含む読取画像データ及び前記読取画像データを分割して得られた前記各原稿画像の回転方向と前記各原稿画像の回転補正量を取得する取得手段と、
前記読取画像データ、前記各原稿画像の回転方向、及び前記各原稿画像の回転補正量に従って、前記各原稿画像の傾きを補正する補正手段とを有することを特徴とする画像処理装置。
【請求項１２】
前記画像処理装置は更に、
編集処理の設定が可能な設定手段と、
前記設定手段における設定に従って、前記補正手段による補正後の原稿画像に対して編集画像を生成する編集手段とを有することを特徴とする請求項２から請求項１１のいずれか一項に記載の画像処理装置。
【請求項１３】
前記画像処理装置は更に、
前記補正手段による補正後の原稿画像又は前記編集手段による編集後の編集画像を所定の表示装置に表示させる手段を有することを特徴とする請求項２から請求項１２のいずれか一項に記載の画像処理装置。
【請求項１４】
画像処理装置と、前記画像処理装置による処理後の画像データに基づいて所定の用紙上に画像を形成する画形成手段とを備えた画像形成装置であって、
前記画像処理装置は、請求項１から請求項１３のいずれか一項に記載の画像処理装置であることを特徴とする画像形成装置。
【請求項１５】
前記画像形手段は、前記画像処理装置による処理後の複数の原稿画像データに基づいて１枚の用紙上に画像を形成することを特徴とする請求項１４記載の画像形成装置。
【請求項１６】
前記画像形手段は、前記画像処理装置による処理後の複数の原稿画像データに基づいて各用紙上に画像を形成することを特徴とする請求項１４記載の画像形成装置。
【請求項１７】
前記画像形成手段は、前記表示装置に表示した原稿画像の中から前記設定手段により選択された原稿画像に基づいて所定の用紙上に画像を形成することを特徴とする請求項１４記載の画像形成装置。
【請求項１８】
読取画像データ内に含まれる原稿画像の傾きを検出する画像処理方法において、
複数の原稿画像を含む読取画像データを前記原稿画像毎の領域に分割する画像分割工程と、
前記画像分割工程により分割された各画像データに基づいて、前記各原稿画像の回転方向及び前記各原稿画像の回転量を検出して、前記各原稿画像の回転補正量を生成する補正量生成工程とを有することを特徴とする画像処理方法。
【請求項１９】
前記画像処理方法は更に、前記各原稿画像の回転方向及び前記各原稿画像の回転補正量に従って、前記各原稿画像の傾きを補正する補正工程を有することを特徴とする請求項１８記載の画像処理方法。
【請求項２０】
前記画像処理方法は更に、所定のネットワークを介して前記読取画像データ、前記各原稿画像の回転方向及び前記各原稿画像の回転補正量を外部へ出力する工程を有することを特徴とする請求項１８又は請求項１９記載の画像処理方法。
【請求項２１】
前記画像処理方法は更に、前記画像分割工程による分割後の画像データを２値化処理により前記原稿画像と背景画像に分離する２値化工程を有することを特徴とする請求項１８から請求項２０のいずれか一項に記載の画像処理方法。
【請求項２２】
前記画像処理方法は更に、前記画像分割工程による分割後の画像データに対して収縮膨張を行う収縮膨張工程を有することを特徴とする請求項１８から請求項２１のいずれか一項に記載の画像処理方法。
【請求項２３】
前記補正量生成工程は、前記原稿画像の角を抽出して前記各原稿画像の回転方向及び前記各原稿画像の回転量を検出することを特徴とする請求項１８から請求項２２のいずれか一項に記載の画像処理方法。
【請求項２４】
前記補正量生成工程は、原稿画像部を有する列のうち、前記原稿画像部が最も短い列と、全て原稿画像部の列とに基づいて、前記各原稿画像の回転方向及び前記各原稿画像の回転量を検出することを特徴とする請求項１８から請求項２３のいずれか一項に記載の画像処理方法。
【請求項２５】
前記補正量生成工程は、前記原稿画像部が最も短い列の位置に基づき前記各原稿画像の回転方向を検出することを特徴とする請求項１８から請求項２４のいずれか一項に記載の画像処理方法。
【請求項２６】
前記補正量生成工程は、前記各原稿画像の回転方向及び前記各原稿画像の回転補正量をタグ情報として生成することを特徴とする請求項１８から請求項２５記載のいずれか一項に記載の画像処理方法。
【請求項２７】
前記画像処理方法は更に、前記タグ情報をファイルに付加する工程を有することを特徴とする請求項２６記載の画像処理方法。
【請求項２８】
読取画像データ内に含まれる原稿画像の傾きを補正する画像処理方法において、
所定のネットワークを介して、複数の原稿画像を含む読取画像データ及び前記読取画像データを分割して得られた前記各原稿画像の回転方向と前記各原稿画像の回転補正量を取得する取得工程と、
前記読取画像データ、前記各原稿画像の回転方向及び前記各原稿画像の回転補正量に従って、前記各原稿画像の傾きを補正する補正工程とを有することを特徴とする画像処理方法。
【請求項２９】
前記画像処理方法は更に、
編集処理の設定が可能な設定工程と、
前記設定工程における設定に従って、前記補正工程による補正後の原稿画像に対して編集画像を生成する編集工程とを有することを特徴とする請求項１８から請求項２８のいずれか一項に記載の画像処理方法。
【請求項３０】
前記画像処理方法は更に、
前記補正工程による補正後の原稿画像又は前記編集工程による編集後の編集画像を所定の表示装置に表示する工程を有することを特徴とする請求項１８から請求項２９のいずれか一項に記載の画像処理方法。
【請求項３１】
読取画像データ内に含まれる原稿画像の回転補正量を生成する処理をコンピュータに実行させるためのプログラムであって、
複数の原稿画像を含む読取画像データを前記原稿画像毎の領域に分割する画像分割処理と、
前記画像分割処理により分割された各画像データに基づいて、前記各原稿画像の回転方向及び前記各原稿画像の回転量を検出し、前記各原稿画像の回転補正量を生成する補正量生成処理を前記コンピュータに実行させるためのプログラム。
【請求項３２】
読取画像データ内に含まれる原稿画像の傾き補正する処理をコンピュータに実行させるためのプログラムであって、
複数の原稿画像を含む読取画像データを前記原稿画像毎の領域に分割する画像分割処理と、
前記画像分割処理により分割された各画像データに基づいて、前記各原稿画像の回転方向及び前記各原稿画像の回転量を検出し、前記各原稿画像の回転補正量を生成する補正量生成処理と、
前記各原稿画像の回転方向及び前記各原稿画像の回転補正量に従って、前記各原稿画像の傾きを補正する補正処理とを前記コンピュータに実行させるためのプログラム。
【請求項３３】
読取画像データ内に含まれる原稿画像の傾きを補正する処理をコンピュータに実行させるためのプログラムであって、
複数の原稿画像を含む読取画像データを前記原稿画像毎の領域に分割する画像分割処理と、
前記画像分割処理により分割された各画像データに基づいて、前記各原稿画像の回転方向及び前記各原稿画像の回転量を検出して前記各原稿画像の回転補正量を生成する補正量生成処理と、
前記各原稿画像の回転方向及び前記各原稿画像の回転補正量に従って、前記各原稿画像の傾きを補正する補正処理と、
編集処理の設定が可能な設定手段における設定に従って、前記補正処理による補正後の原稿画像に対して編集画像を生成する編集処理とを前記コンピュータに実行させるためのプログラム。
【請求項３４】
前記補正量生成処理は、原稿画像部を有する列のうち、前記原稿画像部が最も短い列と、全て原稿画像部の列とに基づいて、前記各原稿画像の回転方向及び前記各原稿画像の回転量を検出することを特徴とする請求項３１から請求項３３のいずれか一項に記載のプログラム。
【請求項３５】
読取画像データ内に含まれる原稿画像の傾きを補正する処理をコンピュータに実行させるためのプログラムであって、
所定のネットワークを介して、複数の原稿画像を含む読取画像データ及び前記読取画像データを分割して得られた前記各原稿画像の回転方向と前記各原稿画像の回転補正量を取得する取得処理と、
前記読取画像データ、前記各原稿画像の回転方向及び前記各原稿画像の回転補正量に従って、前記各原稿画像の傾きを補正する補正処理とを前記コンピュータに実行させるためのプログラム。
【請求項３６】
読取画像データ内に含まれる原稿画像の傾きを補正する処理をコンピュータに実行させるためのプログラムであって、
所定のネットワークを介して、複数の原稿画像を含む読取画像データ、前記読取画像データを分割して得られた前記各原稿画像の回転方向及び前記各原稿画像の回転補正量を取得する取得処理と、
前記読取画像データ、前記各原稿画像の回転方向及び前記原稿画像の回転補正量に従って、前記各原稿画像の傾きを補正する補正処理と、
編集処理の設定が可能な設定手段における設定に従って、前記補正処理による補正後の原稿画像に対して編集画像を生成する編集処理とを前記コンピュータに実行させるためのプログラム。
【発明の詳細な説明】
【技術分野】
【０００１】
本発明は、画像処理装置、画像形成装置、画像処理方法及びプログラムに関する。
【背景技術】
【０００２】
従来、複写機、プリンタ、スキャナー、ファックス機能を一台に集約したマルチファンクション画像システムが提案されている。このマルチファンクション画像システムでは、さまざまなサービスのターミナルとなる。ディジタルカラーマルチファンクションでは、その高画質とディジタルの効用より、従来、プリントショップ（ＤＰＥ）や、簡易印刷への適用が行われている。また、メンテナンス性の高さより、今後、その市場への進出する。
【０００３】
複写機時代の普通紙限定のコピー・プリントから、多種多様の用紙、メディアに印字され、印刷用コート上、また写真用光沢紙などにより、印刷及び写真に、匹敵する画質となってきている。上記画像システムにおいて、自動原稿送り装置などで、写真等の原稿を読み取る場合、原稿に傷がついてしまうという問題があった。
【０００４】
特許文献１記載の写真原稿用ホルダは、このような問題点を解決するものであって、光拡散シートと透明樹脂シートにより、写真原稿を挟み、写真原稿の傷に起因して生じる読み取り画像の黒い傷を防止するものである。
【０００５】
また、読取画像に対する画像処理について以下のような技術が提案されている。特許文献２記載の画像形成装置は、拡張ボックスに接続することにより、各種の画像編集等を行うことができるというものである。
【０００６】
また、特許文献３記載の画像処理装置は、複数のサイズのうちの一のサイズを一括して印刷部に印刷させた後、他のサイズの画像を一括して印刷させるように各画像データの印刷順序を変更するというものである。
【０００７】
【特許文献１】特開平８−３２７４５号
【特許文献２】特開２０００−３３３０２６号
【特許文献３】特開２００２−１３７４８４号
【発明の開示】
【発明が解決しようとする課題】
【０００８】
しかしながら、上記画像システムにおいて、画像読取を行う際に、写真や名刺などのように小さい原稿を複数枚同時にプラテンガラス上に並べて置く場合、理想的には、原稿がプラテンガラス上に規則正しく配列されることが好ましいが、実際には、プラテンガラス上の原稿の向きがまちまちになってしまい、原稿の位置がずれてしまう。また、原稿押え装置を閉じると、さらに、原稿の位置ずれが生じてしまうという問題がある。また、一枚一枚、プラテンガラス１４上に規則正しく並べるのは、手間と時間がかかってしまうという問題があった。
【０００９】
また、特許文献１記載の写真原稿用ホルダでは、透明樹脂シートにより原稿を挟んで原稿が傷つくのを防止するようにしているが、複数の原稿を透明シートに挟む際に原稿の位置がずれてしまうという。
【００１０】
また、特許文献２記載の画像形成装置は、一般的なディジタルカラーマルチファンクションによる機能を提案するものであり、複数の原稿を一度に読み取った際に、原稿の位置ずれを防止することはできない。
【００１１】
また、特許文献３記載の画像処理装置では、印刷時の印刷順序を変えるというものであり、複数の原稿を一度に読み取った際に、原稿の位置ずれを防止することはできない。
【００１２】
そこで、本発明は、上記問題点に鑑みてなされたもので、複数の原稿を一度に読み取った場合でも、各原稿画像の回転補正量を生成できる画像処理装置、画像形成装置、画像処理方法及びプログラムを提供することを目的とする。
【課題を解決するための手段】
【００１３】
上記課題を解決するために、請求項１記載の画像処理装置は、読取画像データ内に含まれる原稿画像の傾きを検出できる画像処理装置において、複数の原稿画像を含む読取画像データを前記原稿画像毎の領域に分割する画像分割手段と、前記画像分割手段により分割された各画像データに基づいて、前記各原稿画像の回転方向及び前記各原稿画像の回転量を検出し、記各原稿画像の回転補正量を生成する補正量生成手段とを有することを特徴とする。
【００１４】
請求項１記載の発明によれば、分割した各画像データに基づいて、各原稿画像の回転補正量を生成するので、複数の原稿を一度に読み取った場合であっても、各原稿画像の傾き補正量を生成することができる。
【００１５】
また、請求項２記載の画像処理装置は、請求項１記載の画像処理装置において、更に、前記各原稿画像の回転方向及び前記各原稿画像の回転補正量に従って、前記各原稿画像の傾きを補正する補正手段を有することを特徴とする。請求項２記載の発明によれば、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【００１６】
また、請求項３記載の画像処理装置は、請求項１又は請求項２記載の画像処理装置において、更に、所定のネットワークを介して、前記読取画像データ、前記各原稿画像の回転方向及び前記各原稿画像の回転補正量を外部へ出力する出力手段を有することを特徴とする。請求項３記載の発明によれば、複数の原稿を同時に読み取った場合であっても、各原稿について位置ずれのない画像データを提供することができる。
【００１７】
また、請求項４記載の画像処理装置は、請求項１から請求項３のいずれか一項に記載の画像処理装置において、更に、前記画像分割手段による分割後の画像データを２値化処理により前記原稿画像と背景画像に分離する２値化手段を有することを特徴とする。請求項４記載の発明によれば、２値化処理により原稿画像と背景画像に分離するようにしたので、原稿画像の傾きが検出しやすくなる。
【００１８】
また、請求項５記載の画像処理装置は、請求項１から請求項４のいずれか一項に記載の画像処理装置において、更に、前記画像分割手段による分割後の画像データに対して収縮膨張を行う収縮膨張手段を有することを特徴とする。請求項５記載の発明によれば、収縮膨張により孤立点として現れるノイズを除去することができる。
【００１９】
また、本発明は、請求項６に記載のように、請求項１から請求項５のいずれか一項に記載の画像処理装置において、前記補正量生成手段は、前記原稿画像の角を抽出して前記各原稿画像の回転方向及び各前記原稿画像の回転量を検出することを特徴とする。請求項６記載の発明によれば、原稿画像の角を抽出するので、簡単に各原稿画像の回転方向及び原稿画像の回転量を検出することができる。
【００２０】
また、本発明は、請求項７に記載のように、請求項１から請求項６のいずれか一項に記載の画像処理装置において、前記補正量生成手段は、原稿画像部を有する列のうち、前記原稿画像部が最も短い列と、全て原稿画像部の列とに基づいて、前記各原稿画像の回転方向及び前記各原稿画像の回転量を検出することを特徴とする。請求項７記載の発明によれば、原稿画像部が最も短い列と、全て原稿画像部の列とに基づいて、簡単に各原稿画像の回転方向及び各原稿画像の回転量を検出することができる。
【００２１】
また、本発明は、請求項８に記載のように、請求項１から請求項７のいずれか一項に記載の画像処理装置において、前記補正量生成手段は、前記原稿画像部が最も短い列の位置に基づき前記各原稿画像の回転方向を検出することを特徴とする。
【００２２】
請求項８記載の発明によれば、例えば原稿画像部が最も短い列が原稿画像の上にある場合に、原稿画像部が最も短い列が原稿画像の左側にあれば原稿画像が時計回りの方向に回転し、原稿画像部が最も短い列が原稿画像の右側にあれば原稿画像が時計回りと反対方向に回転していることが分かるので、簡単に各原稿画像の回転方向を検出することができる。
【００２３】
また、本発明は、請求項９に記載のように、請求項１から請求項８記載の画像処理装置において、前記補正量生成手段は、前記各原稿画像の回転方向及び前記各原稿画像の回転補正量をタグ情報として生成することを特徴とする。請求項９記載の発明によれば、各原稿画像の回転方向及び原稿画像の回転補正量をタグ情報として用いることができる。
【００２４】
また、請求項１０記載の画像処理装置は、請求項９記載の画像処理装置において、更に、前記タグ情報をファイルに付加する手段を有することを特徴とする。請求項１０記載の発明によれば、各原稿画像の回転方向及び各原稿画像の回転補正量をタグ情報としてファイルに付加することができる。
【００２５】
また、請求項１１記載の画像処理装置は、読取画像データ内に含まれる原稿画像の傾きを補正する画像処理装置において、所定のネットワークを介して、複数の原稿画像を含む読取画像データ及び前記読取画像データを分割して得られた前記各原稿画像の回転方向と前記各原稿画像の回転補正量を取得する取得手段と、前記読取画像データ、前記各原稿画像の回転方向、及び前記各原稿画像の回転補正量に従って、前記各原稿画像の傾きを補正する補正手段とを有することを特徴とする。
【００２６】
請求項１１記載の発明によれば、所定のネットワークを介して得られた読取画像データ、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【００２７】
また、請求項１２記載の画像処理装置は、請求項２から請求項１１のいずれか一項に記載の画像処理装置において、更に、編集処理の設定が可能な設定手段と、前記設定手段における設定に従って、前記補正手段による補正後の原稿画像に対して編集画像を生成する編集手段とを有することを特徴とする。請求項１２記載の発明によれば、補正手段による補正後の原稿画像に対して編集画像を生成できるようにしたので、各原稿について位置ずれのない原稿画像に基づいて画像編集を行うことができる。
【００２８】
また、請求項１３記載の画像処理装置は、請求項２から請求項１２のいずれか一項に記載の画像処理装置において、更に、前記補正手段による補正後の原稿画像又は前記編集手段による編集後の編集画像を所定の表示装置に表示させる手段を有することを特徴とする。請求項１３記載の発明によれば、補正後の原稿画像又は編集後の編集画像を表示装置に表示することができる。
【００２９】
また、請求項１４記載の画像形成装置は、画像処理装置と、前記画像処理装置による処理後の画像データに基づいて所定の用紙上に画像を形成する画形成手段とを備えた画像形成装置であって、前記画像処理装置は、請求項１から請求項１３のいずれか一項に記載の画像処理装置であることを特徴とする。請求項１４記載の発明によれば、複数の原稿を同時に読み取った場合であっても、各原稿について位置ずれのない画像データに基づいて所定の用紙上に画像を形成できる。
【００３０】
また、本発明は、請求項１５に記載のように、請求項１４記載の画像形成装置において、前記画像形手段は、前記画像処理装置による処理後の複数の原稿画像データに基づいて１枚の用紙上に画像を形成することを特徴とする。請求項１５記載の発明によれば、１枚の用紙上に複数の原稿画像を形成することができる。
【００３１】
また、本発明は、請求項１６に記載のように、請求項１４記載の画像形成装置において、前記画像形手段は、前記画像処理装置による処理後の複数の原稿画像データに基づいて各用紙上に画像を形成することを特徴とする。請求項１６記載の発明によれば、各用紙上に原稿画像を形成することができる。
【００３２】
また、本発明は、請求項１７記載のように、請求項１４記載の画像形成装置において、前記画像形成手段は、前記表示装置に表示した原稿画像の中から前記設定手段により選択された原稿画像に基づいて所定の用紙上に画像を形成することを特徴とする。請求項１７記載の発明によれば、選択された原稿画像を印刷することができる。
【００３３】
また、請求項１８記載の画像処理方法は、読取画像データ内に含まれる原稿画像の傾きを検出する画像処理方法において、複数の原稿画像を含む読取画像データを前記原稿画像毎の領域に分割する画像分割工程と、前記画像分割工程により分割された各画像データに基づいて、前記各原稿画像の回転方向及び前記各原稿画像の回転量を検出して、前記各原稿画像の回転補正量を生成する補正量生成工程とを有することを特徴とする。
【００３４】
請求項１８記載の発明によれば、分割した各画像データに基づいて、各原稿画像の回転補正量を生成するので、複数の原稿を一度に読み取った場合であっても、各原稿画像の回転補正量を生成することができる。
【００３５】
また、請求項１９記載の画像処理方法は、請求項１８記載の画像処理方法において、更に、前記各原稿画像の回転方向及び前記各原稿画像の回転補正量に従って、前記各原稿画像の傾きを補正する補正工程を有することを特徴とする。請求項１９記載の発明によれば、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【００３６】
また、請求項２０記載の前記画像処理方法は、請求項１８又は請求項１９記載の画像処理方法において、更に、所定のネットワークを介して前記読取画像データ、前記各原稿画像の回転方向及び前記各原稿画像の回転補正量を外部へ出力する工程を有することを特徴とする。請求項２０記載の発明によれば、複数の原稿を同時に読み取った場合であっても、各原稿について位置ずれのない画像データを提供することができる。
【００３７】
また、請求項２１記載の画像処理方法は、請求項１８から請求項２０のいずれか一項に記載の画像処理方法において、更に、前記画像分割工程による分割後の画像データを２値化処理により前記原稿画像と背景画像に分離する２値化工程を有することを特徴とする。請求項２１記載の発明によれば、２値化処理により原稿画像と背景画像に分離するようにしたので、原稿画像の傾きが検出しやすくなる。
【００３８】
また、請求項２２記載の画像処理方法は、請求項１８から請求項２１のいずれか一項に記載の画像処理方法において、更に、前記画像分割工程による分割後の画像データに対して収縮膨張を行う収縮膨張工程を有することを特徴とする。請求項２２記載の発明によれば、収縮膨張により孤立点として現れるノイズを除去することができる。
【００３９】
また、本発明は、請求項２３に記載のように、請求項１８から請求項２２のいずれか一項に記載の画像処理方法において、前記補正量生成工程は、前記原稿画像の角を抽出して前記各原稿画像の回転方向及び前記各原稿画像の回転量を検出することを特徴とする。請求項２３記載の発明によれば、原稿画像の角を抽出するので、簡単に各原稿画像の回転方向及び各原稿画像の回転量を検出することができる。
【００４０】
また、本発明は、請求項２４に記載のように、請求項１８から請求項２３のいずれか一項に記載の画像処理方法において、前記補正量生成工程は、原稿画像部を有する列のうち、前記原稿画像部が最も短い列と、全て原稿画像部の列とに基づいて、前記各原稿画像の回転方向及び前記各原稿画像の回転量を検出することを特徴とする。請求項２４記載の発明によれば、原稿画像部が最も短い列と、全て原稿画像部の列とに基づいて、簡単に各原稿画像の回転方向及び各原稿画像の回転量を検出することができる。
【００４１】
また、本発明は、請求項２５に記載のように、請求項１８から請求項２４のいずれか一項に記載の画像処理方法において、前記補正量生成工程は、前記原稿画像部が最も短い列の位置に基づき前記各原稿画像の回転方向を検出することを特徴とする。
【００４２】
請求項２５記載の発明によれば、例えば原稿画像が最も短い列が原稿画像の上にある場合に、原稿画像部が最も短い列が原稿画像の左側にあれば原稿画像が時計回りの方向に回転し、原稿画像部が最も短い列が原稿画像の右側にあれば原稿画像が時計回りと反対方向に回転していることが分かるので、簡単に各原稿画像の回転方向を検出することができる。
【００４３】
また、本発明は、請求項２６に記載のように、請求項１８から請求項２５記載のいずれか一項に記載の画像処理方法において、前記補正量生成工程は、前記各原稿画像の回転方向及び前記各原稿画像の回転補正量をタグ情報として生成することを特徴とする。請求項２６記載の発明によれば、各原稿画像の回転方向及び各原稿画像の回転補正量をタグ情報として用いることができる。
【００４４】
また、請求項２７記載の画像処理方法は、請求項２６記載の画像処理方法において、更に、前記タグ情報をファイルに付加する工程を有することを特徴とする。請求項２７記載の発明によれば、各原稿画像の回転方向及び各原稿画像の回転補正量をタグ情報としてファイルに付加することができる。
【００４５】
また、請求項２８記載の画像処理方法は、読取画像データ内に含まれる原稿画像の傾きを補正する画像処理方法において、所定のネットワークを介して、複数の原稿画像を含む読取画像データ及び前記読取画像データを分割して得られた前記各原稿画像の回転方向と前記各原稿画像の回転補正量を取得する取得工程と、前記読取画像データ、前記各原稿画像の回転方向及び前記各原稿画像の回転補正量に従って、前記各原稿画像の傾きを補正する補正工程とを有することを特徴とする。
【００４６】
請求項２８記載の発明によれば、所定のネットワークを介して得られた読取画像データ、各原稿画像の回転方向及び各原稿画像の補正補正量に従って、各原稿画像の傾きを補正するようにしたので、複数の原稿を同時に読み取った場合であっても、各原稿について位置ずれのない画像データを得ることができる。
【００４７】
また、請求項２９記載の画像処理方法は、請求項１８から請求項２８のいずれか一項に記載の画像処理方法において、更に、編集処理の設定が可能な設定工程と、前記設定工程における設定に従って、前記補正工程による補正後の原稿画像に対して編集画像を生成する編集工程とを有することを特徴とする。請求項２９記載の発明によれば、補正後の原稿画像に対して編集画像を生成できるようにしたので、各原稿について位置ずれのない原稿画像に基づいて画像編集を行うことができる。
【００４８】
また、請求項３０記載の記画像処理方法は、請求項１８から請求項２９のいずれか一項に記載の画像処理方法において、更に、前記補正工程による補正後の原稿画像又は前記編集工程による編集後の編集画像を所定の表示装置に表示する工程を有することを特徴とする。請求項３０記載の発明によれば、補正後の原稿画像又は編集後の編集画像を表示装置に表示することができる。
【００４９】
また、請求項３１記載のプログラムは、読取画像データ内に含まれる原稿画像の回転補正量を生成する処理をコンピュータに実行させるためのプログラムであって、複数の原稿画像を含む読取画像データを前記原稿画像毎の領域に分割する画像分割処理と、前記画像分割処理により分割された各画像データに基づいて、前記各原稿画像の回転方向及び前記各原稿画像の回転量を検出し、前記各原稿画像の回転補正量を生成する補正量生成処理を前記コンピュータに実行させる。
【００５０】
請求項３１記載の発明によれば、分割した各画像データに基づいて、各原稿画像の回転補正量を生成するので、複数の原稿を一度に読み取った場合であっても、各原稿画像の回転補正量を生成することができる。
【００５１】
また、請求項３２記載のプログラムは、読取画像データ内に含まれる原稿画像の傾き補正する処理をコンピュータに実行させるためのプログラムであって、複数の原稿画像を含む読取画像データを前記原稿画像毎の領域に分割する画像分割処理と、前記画像分割処理により分割された各画像データに基づいて、前記各原稿画像の回転方向及び前記各原稿画像の回転量を検出し、前記各原稿画像の回転補正量を生成する補正量生成処理と、前記各原稿画像の回転方向及び前記各原稿画像の回転補正量に従って、前記各原稿画像の傾きを補正する補正処理とを前記コンピュータに実行させる。
【００５２】
請求項３２記載の発明によれば、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【００５３】
また、請求項３３記載のプログラムは、読取画像データ内に含まれる原稿画像の傾きを補正する処理をコンピュータに実行させるためのプログラムであって、複数の原稿画像を含む読取画像データを前記原稿画像毎の領域に分割する画像分割処理と、  前記画像分割処理により分割された各画像データに基づいて、前記各原稿画像の回転方向及び前記各原稿画像の回転量を検出して前記各原稿画像の回転補正量を生成する補正量生成処理と、前記各原稿画像の回転方向及び前記各原稿画像の回転補正量に従って、前記各原画像の傾きを補正する補正処理と、編集処理の設定が可能な設定手段における設定に従って、前記補正処理による補正後の原稿画像に対して編集画像を生成する編集処理とを前記コンピュータに実行させる。
【００５４】
請求項３３記載の発明によれば、補正後の原稿画像に対して編集画像を生成できるようにしたので、複数の原稿を同時に読み取った場合あっても、各原稿について位置ずれのない原稿画像に基づいて画像編集を提供することができる。
【００５５】
また、本発明は、請求項３４に記載のように、請求項３１から請求項３３のいずれか一項に記載のプログラムにおいて、前記補正量生成処理は、原稿画像部を有する列のうち、前記原稿画像部が最も短い列と、全て原稿画像部の列とに基づいて、前記各原稿画像の回転方向及び前記各原稿画像の回転量を検出することを特徴とする。
【００５６】
また、請求項３５記載のプログラムは、読取画像データ内に含まれる原稿画像の傾きを補正する処理をコンピュータに実行させるためのプログラムであって、所定のネットワークを介して、複数の原稿画像を含む読取画像データ及び前記読取画像データを分割して得られた前記各原稿画像の回転方向と前記各原稿画像の回転補正量を取得する取得処理と、前記読取画像データ、前記各原稿画像の回転方向及び前記各原稿画像の回転補正量に従って、前記各原稿画像の傾きを補正する補正処理とを前記コンピュータに実行させる。
【００５７】
請求項３５記載の発明によれば、所定のネットワークを介して得られた読取画像データ、各原稿画像の回転方向、各原稿画像の回転補正量に従って、各原稿画像の傾きを補正するようにしたので、複数の原稿を同時に読み取った場合であっても、各原稿について位置ずれのない画像データを得ることができる。
【００５８】
また、請求項３６記載のプログラムは、読取画像データ内に含まれる原稿画像の傾きを補正する処理をコンピュータに実行させるためのプログラムであって、所定のネットワークを介して、複数の原稿画像を含む読取画像データ、前記読取画像データを分割して得られた前記各原稿画像の回転方向及び前記各原稿画像の回転補正量を取得する取得処理と、前記読取画像データ、前記各原稿画像の回転方向及び前記原稿画像の回転補正量に従って、前記各原稿画像の傾きを補正する補正処理と、編集処理の設定が可能な設定手段における設定に従って、前記補正処理による補正後の原稿画像に対して編集画像を生成する編集処理とを前記コンピュータに実行させる。
【００５９】
請求項３６記載の発明によれば、補正後の原稿画像に対して編集画像を生成できるようにしたので、複数の原稿を同時に読み取った場合あっても、各原稿について位置ずれのない原稿画像に基づいて画像編集を提供することができる。
【発明の効果】
【００６０】
以上説明したように、本発明によれば、複数の原稿を一度に読み取った場合でも、各原稿画像の回転補正量を生成できる画像処理装置、画像形成装置、画像処理方法及びプログラムを提供できる。
【発明を実施するための最良の形態】
【００６１】
以下、本発明を実施するための最良の形態について実施例を用いて説明する。
【実施例１】
【００６２】
図１は、画像システム１０のブロック図である。この画像システム１０は、複合機１、クライアントＰＣ１１、ネットワーク１２を含んで構成されている。複合機１は、複写機、プリンタ、スキャン及びファックス等の機能を有する。複合機１とクライアントＰＣ１１は、イーサネット（登録商標）等のネットワーク１２により接続されている。
【００６３】
また、複合機１は、画像読取装置２、複写機用の画像処理装置３、画像出力装置４、プリンタ用の画像処理装置５、ファックスユニット６、ネットワークインターフェース回路７、操作部８、表示装置９を備えている。
【００６４】
図２は、画像読取装置２を説明するための図である。図２に示すように、画像読取装置２は、原稿１８を透明なプラテンガラス１４上に、原稿面がガラス方向になるようにおき、原稿１８がプラテンガラス１４に対して浮かないように、原稿押え装置１５で原稿１８を押える。また、原稿押え装置１５の替わりに、自動原稿送り装置を具備するようにしてもよい。
【００６５】
プラテンガラス１４に置かれた原稿１８は、電源２１からの電源に基づき光源２２によって照明され、ミラー２３及びレンズ２４などの光学系を経由して、ＣＣＤ（Ｃｈａｒｇｅ  Ｃｏｕｐｌｅｄ  Ｄｅｖｉｃｅ）センサー２５により、撮像・スキャンされ、電気信号へ変換され、画像処理装置３へ出力される。
【００６６】
図３は、プラテンガラス上の理想的な原稿の配列状態を示す図である。図４は、プラテンガラス上で位置ずれが生じた原稿の配列状態を示す図である。画像システム１０において、一般に定型サイズの原稿をコピー、スキャン、ファックス等を行う場合、画像読取装置２のプラテンガラス１４上に置き、原稿１８の一片をプラテンガラス１４横の段差などに当て、原稿設定の操作を行う。
【００６７】
しかしながら、写真や名刺などのプラテンガラス１４のサイズより小さい複数枚の原稿を、プラテンガラス１４上に並べて置く場合、理想的には、図３に示すような状態をユーザーはイメージするが、実際には、図４のように、向きがまちまちになってしまう。また、この状態で、原稿押え装置１５を置くと、さらに、向きがまちまちになってしまう。
【００６８】
次に、複写機用の第１画像処理装置３について説明する。図５は、複写機用の第１画像処理装置のブロック図である。図５に示すように、複写機用の第１画像処理装置３は、入力側色補正処理部１３１、画像分割部１３２、２値化ノイズ除去部１３３、回転方向・回転補正量生成部１３４、文字、写真分離処理部１３５、ディジタルフィルタ処理部１３６、出力側色補正処理部１３７、ガンマ補正部１３８、スクリーン処理部１３９、回転補正処理部１４０、画像編集部１４１、記憶部１４２を有する。
【００６９】
画像読取装置２により得られた電気信号は、ディジタル画像処理のため、Ａ／Ｄ変換が施され、レッド（Ｒ）、グリーン（Ｇ）、ブルー（Ｂ）のＲＧＢ色空間の画像信号として、複写機用の第１画像処理装置３へ入力される。入力側色補正処理部１３１は、ＲＧＢ色空間の画像信号を均等色空間であるＬ＊ａ＊ｂ＊信号に変換し、画像読取装置２に依存する色補正を行う。
【００７０】
画像分割部１３２は、画像分割手段に相当し、画像読取装置２から得られた複数の原稿画像を含む読取画像データを原稿画像毎の領域に分割する。
画像分割部１３２は、例えば読取画像のエッジを抽出することにより、複数の原稿画像毎の領域に分割する。画像分割部１３２で分割された画像データは、記憶部１４２に蓄積される。なお、その後の処理は、原稿画像毎に分割された画像信号毎に行われる。
【００７１】
２値化ノイズ除去部１３３は、分割された画像信号に対して、２値化処理及び収縮膨張処理によるノイズ除去を行う。２値化処理は、画像分割手段による分割後の画像データを原稿画像と背景画像に分離する。収縮膨張処理は、例えば収縮膨張フィルタ（最小値→最大値フィルタ）を用いて行われる。収縮によって、細かい部分（ノイズである可能性が高い）が消え、その後に膨張しても元に戻らない。これにより、孤立点として現れることが多いノイズを消去することができる。２値化ノイズ除去部１３３が２値化手段、収縮膨張手段に相当する。
【００７２】
回転方向・回転補正量生成部１３４は、補正量生成手段に相当し、画像分割部により分割された各画像データに基づいて、各原稿画像の回転方向及び各原稿画像の回転量を検出して各原稿画像の回転補正量を生成する。回転方向・回転補正量生成部１３４は、各原稿画像の回転方向及び各原稿画像の回転補正量を回転補正処理部１４０へ出力する。また、回転方向・回転補正量生成部１３４は、各原稿画像の回転方向及び各原稿画像の回転補正量をタグ情報として生成するようにしてもよい。
【００７３】
文字、写真分離処理部１３５は、補正後のＬ＊ａ＊ｂ＊画像信号により、入力画像が面内で、文字であるか写真であるかを判定し、分離し、後も処理パラメータを切り替える。一般に、文字と判定されたところは、文字・線画で重要となるエッジ再現が良好になるように、処理し、また、写真と判定されたところは、写真・絵柄で重要になる階調性、粒状性が良好になるように、処理がほどこされる。
【００７４】
ディジタルフィルタ処理部１３６は、空間周波数関連の再現を補正する。出力側色補正処理部１３７は、画像出力装置４の特性を補正するために、Ｌ＊ａ＊ｂ＊からマーキング部材の色空間であるイエロー（Ｙ）、マゼンタ（Ｍ）、シアン（Ｃ）、黒（Ｋ）のＹＭＣＫ信号に変化させる。ガンマ補正部１３８は、ガンマ補正を行う。スクリーン処理部１３９は、面積階調再現方式の場合、スクリーン処理を施す。
【００７５】
回転補正処理部１４０は、回転方向・回転補正量生成部１３４から取得した各原稿画像の回転方向及び各原稿画像の回転補正量に基づいて、スクリーン処理された原稿画像信号の傾きを補正する。また、スクリーン処理上流に回転補正処理部１４０を設けても良いが、スクリーン後の高解像度画像信号で、回転補正を行った場合、補正精度向上が期待できるので、本実施例では、スクリーン処理部１３９の後段に回転補正処理部を設けている。
【００７６】
画像編集部１４１は、編集手段に相当し、設定手段における設定に従って、回転補正処理部１４０による補正後の原稿画像に対して編集画像を生成する。この画像編集部１４１は、操作部８からの操作者の指示により設定され、傾き補正後の原稿画像に対して例えば変倍、鏡像、移動等様々な画像編集処理を行う。
【００７７】
画像編集部１４１に入力された画像は、操作部８により設定された値に応じて、ＲＯＭ（Ｒｅａｄ  Ｏｎｌｙ  Ｍｅｍｏｒｙ）１４４に予め設定されている処理プログラムに従って、ＣＰＵ（中央処理装置）１４３により処理される。また、画像編集部１４１で編集された画像信号は、画像出力装置４へ出力されて用紙上に印刷することができるようになっている。記憶部１４２は、画像分割部１３２で分割された画像を記憶する。
【００７８】
第１画像処理装置３における各種処理は、ＣＰＵ１４３により統括的に制御されており、ＣＰＵ１４３に接続されたＲＯＭ１４４は各種制御プログラム等を格納しており、ＲＡＭ（Ｒａｎｄｏｍ  Ａｃｃｅｓｓ  Ｍｅｍｏｒｙ）１４５を作業領域として動作する。
【００７９】
次に、プリンタ用の第２画像処理装置５について説明する。図６は、プリンタ用の第２画像処理装置５のブロック図である。プリンタの場合、ページ記述言語（ＰＤＬ：Ｐａｇｅ  Ｄｅｓｃｒｉｐｔｉｏｎ  Ｌａｎｇｕａｇｅ）による中間ファイルが、ネットワーク７を介して、クライアントＰＣから送られる。一般的なディジタルカラーマルチファンクションの場合、クライアントＰＣ上のアプリケーションで作成された文書は、ＯＳ（Ｏｐｅｒａｔｉｎｇ  Ｓｙｓｔｅｍ）及びプリンタドライバーにより、ＰＤＬに変換され、ネットワーク１２を経由して、第２画像処理装置５に渡される。
【００８０】
図６に示すように、第２画像処理装置５は、例えばプリンタコントローラにより構成され、ファイル処理部５１、色補正処理部５２、ガンマ補正部５３、スクリーン処理部５４を有する。ファイル処理部５１は、デコンポーザにより、ＰＤＬデータをレンダリング処理、リッピング処理をし、画像データにする。その際、クライアントＰＣにおけるアプリケーションにより、色空間がＲＧＢ信号とＹＭＣＫ信号の場合がある。
【００８１】
色補正処理部５２は、複写機画像処理装置３と同様に、画像出力装置４の特性を補正するために、Ｌ＊ａ＊ｂ＊信号からマーキング部材の色空間であるＹＭＣＫ信号に変化させる。ガンマ補正部５３は、ガンマ補正を行う。スクリーン処理部５４は、面積階調再現方式の場合、スクリーン処理を行い、処理後の画像データを画像出力装置４へ出力する。
【００８２】
次に、画像出力装置４について説明する。なお、ここでは、画像出力装置４Ａとして、４サイクル方式の電子写真方式によるカラー印字装置を用いたものを例にとって説明する。図７は、４サイクル方式の画像出力装置について説明するための図である。
【００８３】
図７に示すように、画像出力装置４Ａは、スクリーン処理された画像信号を、レーザー駆動部４１にて、レーザー露光時間へと変調する。帯電部４２によりチャージアップされた感光体４３に、変調が施されたレーザーによる露光がおこなわれ、静電潜像が形成される。そして、現像部４４により、トナーによる像が感光体４３上に形成され、転写ロール４５上の用紙に転写される。
【００８４】
４サイクル方式の場合、上記プロセスを４回、感光体４３と転写ロール４５を回転させて行われ、最終色転写後、転写ロール４５から用紙が剥離され、定着器４６により画像定着される。部品点数が少ないため、低コストで設計が可能であるが、ＹＭＣＫを４回転するため、高速印字には向いていない。
【００８５】
次に、画像出力装置４の他の例について説明する。図８は、タンデム方式の画像出力装置４Ｂについて説明するための図である。本方式は、レーザー駆動部４１Ｂ、帯電部４２Ｂ、感光体４３Ｂ、現像器４４Ｂ、４つ並べ、一度に画像を形成する方式である。図８に示すように、画像出力装置４Ｂは、スクリーン処理された画像信号を、レーザー駆動部４１Ｂにて、レーザー露光時間へと変調する。
【００８６】
帯電部４２Ｂによりチャージアップされた感光体４３Ｂに、変調が施されたレーザーによる露光がおこなわれ、静電潜像が形成される。そして、現像部４４Ｂにより、トナーによる像が感光体４３Ｂ上に形成され、転写ベルト４７上の用紙に転写される。転写ベルト４７から用紙が剥離され、定着器４６Ｂにより画像定着される。部品点数が多くなるが、高速印字には本タンデムが用いられる。
【００８７】
なお、画像出力装置４は、画像形成手段に相当し、画像処理装置３による処理後の画像データに基づいて所定の用紙上に画像を形成するものである。
【００８８】
ネットワークインターフェース回路７は、データの送受信の各種制御を行う。操作部８は、用紙サイズ、部数、画像編集部１４１への各種設定を行うことができる。表示装置９は、操作部８による設定内容、回転補正処理部１４０での補正後の原稿画像、画像編集部１４１での編集後の編集画像を表示するものである。
【００８９】
次に、図５に示した画像分割部１３２が行う画像分割について説明する。図９は、画像分割部１３２が行う画像データの分割について説明するための図であり、同図（ａ）は、複数の原稿画像を含む読み取り画像を各原稿画像毎の領域に分割した様子を示した図、同図（ｂ）は、（ａ）の左上の分割画像の拡大図を示している。
【００９０】
図９において、Ｅは読取画像、Ｆは原稿画像、Ｇは分割画像、Ｈは背景画像をそれぞれ示している。なお、図９では、複数の原稿をプラテンガラス１４上に並べて画像の読取を行う場合を例にとって説明するが、例えば、見開きの本の画像を読み取る場合にも本実施例が適用される。
【００９１】
次に、回転方向・回転補正量生成部１３４が行う原稿画像の回転方向及び原稿画像の回転量の検出について説明する。図１０は、原稿画像が時計回りと逆方向に回転している場合の原稿画像の回転方向及び原稿画像の回転量の検出を説明するための図である。また、図１１は、原稿画像が時計回りの方向に回転している場合の原稿画像の回転方向及び原稿画像の回転量の検出を説明するための図である。
【００９２】
図１０及び図１１において、Ｆは原稿画像、Ｇは分割画像、Ｈは背景画像をそれぞれ示し、原稿画像Ｇの左上を原点とし、水平方向をＸ軸、垂直方向をＹ軸とする。回転方向・回転補正量生成部１３４は、２値化ノイズ除去部１３３により２値化及びノイズ除去処理された画像信号を１ライン毎に原稿部の画像か非原稿部の画像か識別して、原稿画像のある画像部を“１”とし、原稿画像のない背景を“０”としてアドレス対応付けて所定の記憶部１４２に記憶する。
【００９３】
回転方向・回転補正量生成部１３４は、分割された入力信号毎に、各列の値より、原稿画像である“１”信号のある列の中で最も短い列を、比較演算で見つける。ここで、原稿画像である“１”信号のある列の中で最も短い列は、図１０ではＬ１の列であり、図１１では、Ｌ３の列である。
【００９４】
次に、最も短い列の先頭画像部位置（図１０及び図１１に示す１）の座標を（Ｘ１Ｆ，Ｙ１Ｆ）とし、最も短い列の最終画像部位置（図１０及び図１１に示す２）の座標を（Ｘ１Ｔ，Ｙ１Ｔ）とする。また、回転方向・回転補正量生成部１３４は、分割された入力信号毎に、各列の値より、すべて原稿画像部の列、すなわち全て原稿画像である“１”信号のある列を、比較演算で見つける。ここで、すべて原稿画像部の列とは、図１０ではＬ２の列であり、図１１ではＬ４の列である。
【００９５】
次に、回転方向・回転補正量生成部１３４は、すべて原稿画像部の列の先頭画像部位置（図１０及び図１１に示す３）の座標を（Ｘ２Ｆ，Ｙ２Ｆ）とし、すべて原稿画像部の列の最終画像部位置（図１０及び図１１に示す４）を（Ｘ２Ｔ，Ｙ２Ｔ）とする。
【００９６】
次に、回転方向・回転補正量生成部１３４は、分割された入力信号毎に、最も短い列の先頭画像部位置のＸ座標Ｘ１Ｆとすべて原稿画像部の列の先頭画像部位置のＸ座標Ｘ２Ｆとが遠く、かつ、最も短い列の最終画像部位置のＸ座標Ｘ１Ｔとすべて原稿画像部の列の最終画像部位置のＸ座標Ｘ２Ｔが近い場合は、図１０に示すように、原稿画像が時計回りと反対方向に回転していると判定する。
【００９７】
また、回転方向・回転補正量生成部１３４は、最も短い列の先頭画像部位置のＸ座標Ｘ１Ｆとすべて原稿画像部の列の先頭画像部位置のＸ座標Ｘ２Ｆとが近く、かつ、最も短い列の最終画像部位置のＸ座標Ｘ１Ｔとすべて原稿画像部の列の最終画像部位置のＸ座標Ｘ２Ｔが遠い場合は、図１１に示すように、原稿画像が時計回りと同一の方向に回転していると判定する。
【００９８】
回転方向・回転補正量生成部１３４は、原稿が時計回りと反対方向に回転している場合は「０」、原稿が時計回りと同一方向に回転している場合は「１」とする回転方向タグを生成する。
【００９９】
次に、回転方向・回転補正量生成部１３４は、分割された入力信号毎に、回転補正量を算出する。回転方向・回転補正量生成部１３４は、図１０に示すように、原稿が時計回りと反対方向に回転している場合は、最も短い列の最終画像部位置（Ｘ１Ｔ，Ｙ１Ｔ）とすべて原稿画像部の列の先頭画像部位置（Ｘ２Ｆ，Ｙ２Ｆ）より、回転補正量Ｘ３Ａ＝Ｘ１Ｔ−Ｘ２Ｆ、回転補正量Ｙ３Ａ＝Ｙ２Ｆ−Ｙ１Ｔを求める。
【０１００】
回転方向・回転補正量生成部１３４は、図１１に示すように、原稿が時計回りと同一方向に回転している場合は、最も短い列の先頭画像部位置（Ｘ１Ｆ，Ｙ１Ｆ）とすべて原稿画像部の列の最終画像部位置（Ｘ２Ｔ，Ｙ２Ｔ）より、回転補正量Ｘ３Ｂ＝Ｘ２Ｔ−Ｘ１Ｆ、回転補正量Ｙ３Ｂ＝Ｙ２Ｔ−Ｙ１Ｆを求める。
【０１０１】
回転方向・回転補正量生成部１３４は、分割された入力信号毎に、回転方向タグ、回転補正量を添付して回転補正処理部１４０へ出力する。
【０１０２】
次に、画像システムの動作について説明する。図１２は画像システム１０の動作フローチャートである。複数又は1枚の原稿を、画像読取装置２のプラテンガラス１４上に置き、原稿押え装置１５を閉じる。コピーまたはスキャンボタンを押す。
【０１０３】
ステップＳ１において、画像読取装置２は、プラテンガラス１４上の原稿を読み取る。原稿読取装置２で読み取られた読取画像信号は、所定のＡ／Ｄ変換部によりＡ／Ｄ変換され、ＲＧＢ色空間の画像信号として、複写機用の第１画像処理装置３へ入力される。
【０１０４】
次に、第１画像処理装置３の入力側補正処理部１３１は、ＲＧＢ色空間の画像信号を均等色空間であるＬ＊ａ＊ｂ＊信号に変換し、変換したＬ＊ａ＊ｂ＊信号を画像分割部１３２へ出力する。
【０１０５】
ステップＳ２において、画像分割部１３２は、入力画像画像信号を原稿画像毎の領域に分割し、分割した画像を記憶部１４２に記憶するとともに、２値化ノイズ除去部１３３へ出力する。
【０１０６】
ステップＳ３において、２値化ノイズ除去部１３３は、分割された入力信号毎に、２値化処理を行う。このとき、２値化ノイズ除去部１３３は背景画像を「０」、原稿画像部を「１」とする。
【０１０７】
ステップＳ４において、２値化ノイズ除去部１３３は、分割された入力信号毎に、収縮膨張処理にて、孤立点ノイズを除去する。２値化ノイズ除去部１３３により２値化処理及びノイズ除去処理された分割画像データは、回転方向・回転補正量生成部１３４へ入力される。
【０１０８】
ステップＳ５において、回転方向・回転補正量生成部１３４は、分割された入力信号毎に、各列の値より、原稿画像部あり、かつ原稿画像部が最も短い列を、比較演算で検出し、最も短い列の先頭画像部位置の座標を（Ｘ１Ｆ，Ｙ１Ｆ）とし、最も短い列の最終画像部位置の座標を（Ｘ１Ｔ，Ｙ１Ｔ）とする。
【０１０９】
ステップＳ６において、回転方向・回転補正量生成部１３４は、分割された入力信号毎に、各列の値より、すべて原稿画像部の列を、比較演算で検出し、すべて原稿画像部の列の先頭画像部位置の座標を（Ｘ２Ｆ，Ｙ２Ｆ）とし、すべて原稿画像部の列の最終画像部位置の座標を（Ｘ２Ｔ，Ｙ２Ｔ）とする。
【０１１０】
ステップＳ７において、回転方向・回転補正量生成部１３４は、分割された入力信号毎に、原稿画像部が最も短い列の先頭画像部位置のＸ座標Ｘ１Ｆとすべて原稿画像部の列の先頭画像部位置のＸ座標Ｘ２Ｆが遠く、かつ、原稿画像部が最も短い列の最終画像部位置のＸ座標Ｘ１Ｔとすべて原稿画像部の列の最終画像部位置のＸ座標Ｘ２Ｔが近い場合は、図１０に示す時計回りと反対方向に回転していると判定する。
【０１１１】
また、回転方向・回転補正量生成部１３４は、原稿画像部が最も短い列の先頭画像部位置のＸ座標Ｘ１Ｆとすべて原稿画像部の列の先頭画像部位置のＸ座標Ｘ２Ｆが近く、かつ、原稿画像部が最も短い列の最終画像部位置のＸ座標Ｘ１Ｔとすべて原稿画像部の列の最終画像部位置のＸ画像Ｘ２Ｔが遠い場合は、図１１に示すとけ回りに回転していると判定する。
【０１１２】
回転方向・回転補正量生成部１３４は、時計回りと判定方向に回転している場合は「０」、時計回りと同一方向に回転している場合は、「１」として回転方向タグを生成する。
【０１１３】
ステップＳ８において、回転方向・回転補正量生成部１３４は、分割された入力信号毎に、回転補正量を算出する。図１０に示すように、時計方向と反対方向に回転している場合は、最も短い列の最終画像部位置（Ｘ１Ｔ，Ｙ１Ｔ）とすべて画像部の列の先頭画像部位置（Ｘ２Ｆ，Ｙ２Ｆ）より、Ｘ方向の回転補正量Ｘ３Ａ＝Ｘ１Ｔ−Ｘ２Ｆ、Ｙ方向の回転補正量Ｙ３Ａ＝Ｙ２Ｆ−Ｙ１Ｔを求める。
【０１１４】
また、図１１に示すように、時計方向と同一方向に回転している場合は、最も短い列の先頭画像部位置（Ｘ１Ｆ，Ｙ１Ｆ）とすべて画像部の列の最終画像部位置（Ｘ２Ｔ，Ｙ２Ｔ）より、Ｘ方向の回転補正量Ｘ３Ｂ＝Ｘ２Ｔ−Ｘ１Ｆ、Ｙ方向の回転補正量Ｙ３Ｂ＝Ｙ２Ｔ−Ｙ１Ｆを求める。回転方向・回転補正量生成部１３４は、分割された入力信号毎に、回転方向タグ、回転補正量を添付して回転補正処理部１４０へ出力する。
【０１１５】
ステップＳ９において、回転補正処理部１４０は、回転方向・回転補正量生成部１３４から取得した回転方向タグ及び回転補正量情報に基づいて、スクリーン処理された画像信号の傾き補正を行う。回転補正処理部１４０は、補正後の画像データを、画像出力装置４へ出力し、画像出力装置４は、傾き補正後の画像データに基づき印字を行う。
【０１１６】
第１実施例によれば、分割した各画像データに基づいて、各原稿画像の回転補正量を生成し、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【実施例２】
【０１１７】
次に第２実施例について説明する。図１３は、第２実施例に係る画像処理装置１０３及び画像出力装置１０４のブロック図である。なお、この画像処理装置１０３は、図１の複写機用の第１画像処理装置３に対応し、画像出力装置１０４は画像出力装置４に対応するものである。
【０１１８】
図１３に示すように、画像処理装置１０３は、入力側色補正処理部１３１、画像分割部１３２、２値化ノイズ除去部１３３、回転方向・回転補正量生成部１３４、文字・写真分離処理部１３５、ディジタルフィルタ処理部１３６、出力側色補正処理部１３７、ガンマ補正部１３８、スクリーン処理部１３９、記憶部１４２を有する。また、画像出力装置１０４は、回転補正処理部１５１を有する。
なお、上記実施例と同一の構成要素については同一符号を付するものとし、その説明を省略する。
【０１１９】
第１実施例では、複写機用の第１画像処理装置３内に、回転補正処理部１４０を設けた例について説明したが、第２実施例では、画像出力装置１０４内に、回転補正処理部１５１を設けたものである。
【０１２０】
回転方向・回転補正量生成部１３４は、上述した方法により回転方向タグ及び回転補正量を生成し、生成した回転方向タグ及び回転補正量を画像データに添付して、画像出力装置１０４の画像補正処理部１５１へ出力する。
【０１２１】
画像出力装置１０４側では、画像補正処置部１５１が回転方向・回転補正量生成部１３４から取得した回転方向タグ及び回転補正量情報に基づいて、画像処理装置１０３から受け取った画像信号の原稿画像の傾き補正を行う。画像出力装置１０４は、傾き補正後の画像データに基づき印字を行う。
【０１２２】
第２実施例によれば、分割した各画像データに基づいて、各原稿画像の回転補正量を生成し、画像出力装置１０４側で、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。
【実施例３】
【０１２３】
次に第３実施例について説明する。図１４は第３実施例に係る複写機用の画像処理装置２０３のブロック図である。なお、この画像処理装置２０３は、図１の複写機用の第１画像処理装置３に対応するものである。
【０１２４】
図１４に示すように、画像処理装置２０３は、入力側色補正処理部１３１、画像分割部１３２、２値化ノイズ除去部１３３、回転方向・回転補正量生成部１３４、記憶部１４２、ファイル生成部１４６を有する。なお、上記実施例と同一の構成要素については同一符号を付するものとしてその説明を省略する。
【０１２５】
ファイル生成部２５１は、回転方向・回転補正量生成部１３４が生成した回転方向タグ・回転補正量及び読取画像信号をファイル形式に変換する。また、この際の色空間は、処理無しであるＲＧＢ信号の場合、均等色空間のＬ＊ａ＊ｂ＊信号などがある。
【０１２６】
この回転方向タグ・回転補正量は、後ほど、プリントする場合に使用され、他の本機能を搭載したプリンタにてプリントする場合に活用される。ファイル生成部２５１は、生成したファイルをネットワークＩ／Ｆ回路７へ出力する。ネットワークＩ／Ｆ回路７は、このファイルをクライアントＰＣ１１へ転向する。
【０１２７】
第３実施例によれば、複数の原稿を同時に読み取った場合であっても、各原稿について位置ずれのない画像データを再現できる情報をクライアントＰＣ１１へ提供することができる。
【実施例４】
【０１２８】
次に第４実施例について説明する。図１５は第４実施例に係るプリンタ用の第２画像処理装置３０５のブロック図である。この第２画像処理装置３０５は図１の第２画像処理装置５に対応するものである。
【０１２９】
上記第３実施例では、読取画像信号、回転方向タグ及び回転補正量を含んだファイルをネットワーク１２上のクライアントＰＣ１１へ提供する実施例について説明したが、第４実施例では、画像処理装置３０５がクライアントＰＣ１１からネットワーク１２を介して、読取画像信号、回転方向タグ及び回転補正量を受け取った場合の処理について説明する。
【０１３０】
図１５は第４実施例に係る第２画像処理装置３０５を説明するための図である。図１５に示すように、第２画像処理装置３０５は、ファイル処理部５１、色補正処理部５２、ガンマ補正部５３、スクリーン処理部５４、回転補正処理部３５１を有する。なお、上記実施例と同一の構成要素については同一符号を付するものとしてその説明を省略する。
【０１３１】
第２画像処理装置３０５は、クライアントＰＣ１１から読取画像信号、回転方向タグ、及び回転補正量を含むファイルを受け取ると、ファイル処理部５１は、ファイルに含まれる読取画像信号、回転方向タグ、回転補正量とを分離する。
【０１３２】
色補正処理部５２は、読取画像信号をマーキング色空間であるＹＭＣＫ信号に変換する。ガンマ補正部５３は、ガンマ補正を行う。スクリーン処理部５４は、スクリーン処理を行う。
【０１３３】
回転補正処理部３５１は、スクリーン処理後の読取画像信号と、ファイル処理部５１から取得した回転方向タグ及び回転補正量情報に基づいて原稿画像の傾き補正を行う。回転補正処理部３５１は、傾き補正が行われた画像データを画像出力部４へ出力し、画像出力部４では、傾き補正後の画像データに基づき画像形成が行われる。
【０１３４】
第４実施例によれば、所定のネットワーク１２を介して得られた読取画像データ、各原稿画像の回転方向及び各原稿画像の回転補正量に従って、各原稿画像の傾きを補正するようにしたので、複数の原稿を同時に読み取った場合であっても、各原稿について位置ずれのない画像データを得ることができる。この画像データに基づき画像形成を行うことができる。
【０１３５】
なお、回転補正処理部３５１の後段に、図５に示す第１実施例で説明した画像編集部１４１を設けるようにしてもよい。また、図１５に示した第２画像処理装置３０５をクライアントＰＣ１１内に設けるようにしてもよい。
【実施例５】
【０１３６】
次に第５実施例について説明する。図１６は第５実施例に係る第２画像処理装置４０５及び画像出力装置４０４のブロック図である。第２画像処理装置４０５は図１に示した第２画像処理装置５に対応し、画像出力装置４０４は図１で示した画像出力装置４に対応するものである。
【０１３７】
第４実施例では、回転補正処理部３５１を第２画像処理装置３０５内に設けるようにしていたが、第５実施例では、回転補正処理部４５１を画像出力装置４０４内に設けるようにしたものである。
【０１３８】
図１６に示すように、第２画像処理装置４０５は、ファイル処理部５１、色補正処理部５２、ガンマ補正部５３、スクリーン処理部５４を有する。画像出力装置４０３は回転補正処理部４５１を有する。なお、上記実施例と同一の構成要素については同一符号を付するものとしてその説明を省略する。
【０１３９】
画像処理装置４０５のファイル処理部５１は、クライアントＰＣ１１から取得した読取画像信号、回転方向タブ及び回転補正量を含むファイルを分離する。ファイル処理部５１は、読取画像信号を色補正処理部５２へ出力し、回転方向タグ及び回転補正量を画像出力装置４０４の回転補正処理部へ出力する。
【０１４０】
ファイル処理部５１からの読取画像信号は、色補正処理部５２、ガンマ補正部５３、スクリーン処理部５４によりそれぞれ処理され、処理された読取画像信号は画像出力装置４０４へ出力される。回転補正処理部４５１は、第２画像処理装置４０５からの読取画像信号を、ファイル処理部５１から取得した回転方向タグ及び回転補正量情報に基づいて原稿画像の傾き補正を行う。画像出力装置４０４は、回転補正処理部４５１で傾き補正された画像データに基づき画像形成を行う。
【０１４１】
第５実施例によれば、所定のネットワーク１２を介して得られた読取画像データ、各原稿画像の回転方向及び各原稿画像の回転補正量に従って、画像出力装置４０４側で、各原稿画像の傾きを補正するようにしたので、複数の原稿を同時に読み取った場合であっても、各原稿について位置ずれのない画像データに基づき画像形成を行うことができる。
【実施例６】
【０１４２】
次に、第６実施例について説明する。第６実施例における構成は、第１実施例と同一の構成であるため、図１及び図５を用いて説明する。なお、操作部８を操作することにより以下の動作を指示することができる。まず、画像システム１０の動作例１について説明する。
【０１４３】
図１７は画像システム１０の動作例１を説明するための図であり、同図（ａ）は画像読取装置２のプラテンガラス１４上に並べられた原稿を示す図、同図（ｂ）は第１画像処理装置３での傾き補正後の画像を示す図、同図（ｃ）は画像出力装置４で印刷された印刷物を示す図である。
【０１４４】
画像読取装置２は、図１７（ａ）に示すようにプラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向タグ及び回転補正量に基づき各原稿画像の傾き補正を行う。これにより、図１７（ｂ）に示すような傾き補正後の原稿画像を得ることができる。
【０１４５】
画像出力装置４は、各原稿画像を原稿と同一の用紙又はユーザーによって指定された用紙に画像形成を行い、図１７（ｃ）に示すようにそれぞれの原稿画像データに基づいた印刷物を得ることができる。
【０１４６】
次に、画像システム１０の動作例２について説明する。図１８は画像システム１０の動作例２について説明するための図であり、同図（ａ）は画像読取装置２のプラテンガラス１４上に並べられた原稿を示す図、同図（ｂ）は第１画像処理装置３での傾き補正後の画像を示す図、同図（ｃ）は画像出力装置４で印刷された印刷物を示す図である。
【０１４７】
画像読取装置２は、図１８（ａ）に示すようなプラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向タグ及び回転補正量に基づき各原稿画像の傾き補正を行う。これにより、図１８（ｂ）に示すような傾き補正後の原稿画像を得ることができる。
【０１４８】
画像出力装置４は、すべての原稿画像を一枚の用紙上に画像形成を行い、図１８（ｃ）に示すように一枚の用紙上に８つの原稿が配置された印刷物を得ることができる。
【０１４９】
次に画像システム１０の動作例３について説明する。図１９は画像システム１０の動作例３を説明するための図であり、同図（ａ）は画像読取装置２のプラテンガラス１４上に並べられた原稿を示す図、同図（ｂ）は第１画像処理装置３での傾き補正後の画像を示す図、同図（ｃ）は選択された原稿画像を示す図、同図（ｄ）は画像出力装置４で印字された印刷物を示す図である。
【０１５０】
画像読取装置２は、図１９（ａ）に示すようなプラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向タグ及び回転補正量に基づき各原稿画像の傾き補正を行う。これにより、図１９（ｂ）に示すような傾き補正後の原稿画像が得られる。
【０１５１】
また、図１９（ｂ）に示すような傾き補正後の原稿画像は、表示装置９に表示される。ユーザーは、この表示装置９の表示を見ながら、操作部８を用いて好みの原稿を選択する。画像編集部１４１は、操作部８の操作に応じて原稿画像を編集する。図１９（ｃ）に示すように、編集された原稿画像は、表示装置９に表示される。
【０１５２】
画像出力装置４は、選択された原稿画像を原稿と同一サイズの用紙又はユーザーによって選択されたサイズの用紙上に画像形成を行い、図１９（ｄ）に示すようなそれぞれの原稿に基づいた印刷物を得ることができる。
【０１５３】
次に画像システム１０の動作例４について説明する。図２０は画像システム１０の動作例４を説明するための図であり、同図（ａ）は画像読取装置２のプラテンガラス１４上に並べられた原稿を示す図、同図（ｂ）は画像処理装置３での傾き補正後の画像を示す図、同図（ｃ）は選択された原稿画像を示す図、同図（ｄ）は編集された画像を示す図、同図（ｅ）は画像出力装置４で印字された印刷部を示す図である。
【０１５４】
画像読取装置２は、図２０（ａ）に示すようなプラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向及び回転補正量に基づき各原稿画像の傾き補正を行う。これにより、図２０（ｂ）に示すような傾き補正後の原稿画像が得られ、この原稿画像は表示装置９に表示される。
【０１５５】
ユーザーは、この表示装置９の表示を見ながら、操作部８を用いて好みの原稿を選択し、各種編集指示を行う。ここでは、ユーザーが一枚の用紙上に４つの原稿を印刷することを指示するものとする。
【０１５６】
画像編集部１４１は、操作部８の操作に応じて原稿画像を編集する。ここでは、画像編集部１４１により、一枚の用紙上に４つ原稿画像が印刷されるように、原稿画像の変倍が行われる。原稿編集部１４１で編集された原稿画像を図２０（ｄ）に示している。編集された画像は表示装置９に表示される。
【０１５７】
画像出力装置４は、原稿編集部１４１で編集された画像を、原稿と同一サイズの用紙又はユーザーによって選択されたサイズの用紙上に画像形成を行い、図２０（ｅ）に示すような一枚の用紙上に４つの原稿が印刷された印刷物を得ることができる。
【０１５８】
次に画像システム１０の動作例５について説明する。図２１は画像システム１０の動作例５を説明するための図であり、同図（ａ）は画像読取装置２のプラテンガラス１４上に並べられた原稿を示す図、同図（ｂ）は画像処理装置３での傾き補正後の画像を示す図、同図（ｃ）は選択された原稿画像を示す図、同図（ｄ）は拡大された原稿画像を示す図、同図（ｅ）は画像出力装置４で印刷された印刷物を示す図である。
【０１５９】
画像読取装置２は、図２１（ａ）に示すようなプラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向タグ及び回転補正量に基づき各原稿画像の傾き補正を行う。これにより、図２１（ｃ）に示すような傾き補正後の原稿画像が得られ、この原稿画像は表示装置９に表示される。
【０１６０】
ユーザーは、この表示装置９の表示を見ながら、操作部８を用いて好みの原稿を選択し、各種編集指示を行う。ここでは、ユーザーが一枚の用紙上に２つの原稿を印刷することを指示するものとする。
【０１６１】
画像編集部１４１は、操作部８の操作に応じて原稿画像を編集する。ここでは、画像編集部１４１により一枚の用紙上に２つの原稿画像が印刷されるように、原稿画像の拡大が行われる。原稿編集部１４１で編集された原稿画像を図２１（ｄ）に示している。編集された画像は表示装置９に表示される。
【０１６２】
画像出力装置４は、原稿編集部１４１で編集された画像を、原稿と同一サイズの用紙又はユーザーによって選択されたサイズの用紙上に画像形成を行い、図２１（ｅ）に示すような一枚の用紙上に２つの原稿が印刷された印刷物を得ることができる。
【０１６３】
次に画像システム１０の動作例６について説明する。図２２は画像システム１０の動作例６について説明するための図であり、（ａ）は画像読取装置２のプラテンガラス１４上に並べられた原稿を示す図、同図（ｂ）は第１画像処理装置３での傾き補正後の画像を示す図、同図（ｃ）は選択された原稿画像を示す図、同図（ｄ）は合成され、編集された画像を示す図、同図（ｅ）は画像出力装置４で印刷された印刷物を示す図である。
【０１６４】
画像読取装置２は、図２２（ａ）に示すように、プラテンガラス１４上に並べられた原稿を読み取る。画像分割部１３２は、画像読取装置２で読み取られた読取画像を原稿画像毎の領域に分割する。回転方向・回転補正量生成部１３４は、分割領域毎に、回転方向及び回転補正量を算出し、回転補正処理部１４０は、回転方向タグ及び回転補正量に基づき各原稿画像の傾き補正を行う。これにより、図２２（ｂ）に示すような傾き補正後の原稿画像が得られ、この原稿画像は表示装置９に表示される。
【０１６５】
ユーザーは、この表示装置９の表示を見ながら、操作部８を用いて好みの原稿を選択し、各種編集指示を行う。ここでは、ユーザーが一枚の用紙上に２つの原稿を印刷することを指示し、かつ合成、鏡像、装飾を指示したものとする。
【０１６６】
画像編集部１４１は、操作部８の操作に応じて原稿画像を編集する。画像編集部１４１は、一枚の用紙上に２つの原稿画像が印刷されるように、図２２（ｃ）に示すように原稿画像の変倍を行うとともに、合成、鏡像、装飾を行う。原稿編集部１４１で編集された原稿画像を図２２（ｄ）に示している。編集された画像は表示装置９に表示される。
【０１６７】
画像出力装置４は、原稿編集部１４１で編集された画像を、所定のサイズの用紙上に画像形成を行い、図２２（ｅ）に示すように、一枚の用紙上に２つの原稿が合成、鏡像、装飾されて印刷された印刷物を得ることができる。
【０１６８】
以上本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【０１６９】
【図１】画像システムのブロック図である。
【図２】画像読取装置を説明するための図である。
【図３】プラテンガラス上の理想的な原稿の配列状態を示す図である。
【図４】プラテンガラス上で位置ずれが生じた原稿の配列状態を示す図である。
【図５】第１画像処理装置のブロック図である。
【図６】第２画像処理装置のブロック図である。
【図７】４サイクル方式の画像出力装置を示す図である。
【図８】タンデム方式の画像出力装置ついて説明するための図である。
【図９】画像分割部が行う画像データの分割を説明するための図である。
【図１０】原稿画像が時計回りと逆方向に回転している場合の原稿画像の回転方向及び原稿画像の回転量の検出を説明するための図である。
【図１１】原稿画像が時計回りの方向に回転している場合の原稿画像の回転方向及び原稿画像の回転量の検出を説明するための図である。
【図１２】画像システムの動作フローチャートである。
【図１３】第２実施例に係る第１画像処理装置及び画像出力装置のブロック図である。
【図１４】第３実施例に係る第１画像処理装置のブロック図である。
【図１５】第４実施例に係る第２画像処理装置のブロック図である。
【図１６】第５実施例に係る第２画像処理装置及び画像出力装置のブロック図である。
【図１７】画像システムの動作例１を説明するための図である。
【図１８】画像システムの動作例２を説明するための図である。
【図１９】画像システムの動作例３を説明するための図である。
【図２０】画像システムの動作例４を説明するための図である。
【図２１】画像システムの動作例５を説明するための図である。
【図２２】画像システムの動作例６を説明するための図である。
【符号の説明】
【０１７０】
１  複合機                          １０  画像システム
２  画像読取装置                    １１  クライアントＰＣ
３、１０３  第１画像処理装置        １２  ネットワーク
４、１０４  画像出力装置            １３２  画像分割部
５、３０５  第２画像処理装置        １３３  ２値化ノイズ除去部
７  ネットワークＩ／Ｆ              １３４  回転方向回転補正量生成部
８  操作部                          １４０、１５１  回転補正処理部
９  表示装置                        １４１  画像編集部
【図１】
2005057603.tif 000003
【図２】
2005057603.tif 000004
【図３】
2005057603.tif 000005
【図４】
2005057603.tif 000006
【図５】
2005057603.tif 000007
【図６】
2005057603.tif 000008
【図７】
2005057603.tif 000009
【図８】
2005057603.tif 000010
【図９】
2005057603.tif 000011
【図１０】
2005057603.tif 000012
【図１１】
2005057603.tif 000013
【図１２】
2005057603.tif 000014
【図１３】
2005057603.tif 000015
【図１４】
2005057603.tif 000016
【図１５】
2005057603.tif 000017
【図１６】
2005057603.tif 000018
【図１７】
2005057603.tif 000019
【図１８】
2005057603.tif 000020
【図１９】
2005057603.tif 000021
【図２０】
2005057603.tif 000022
【図２１】
2005057603.tif 000023
【図２２】
2005057603.tif 000024